(57)【要約】【課題】従来のコタツはしゃがんだり座ったりして、足腰の弱い人には苦痛になることがあり、また、最近販売されている洋式コタツは、椅子に熱の遮蔽装置がセットになってついていて、椅子が無駄であり又重かった。、【解決手段】洋式コタツにおいて、人が足部を挿入後は元の状態に復元して閉塞する観音開き状の弾性シートの両側を各支脚の下方に取着し、且つ、天板から垂れ下がる覆いカバーが支脚間の４面の空間を囲繞すると共に、その覆いカバーは該弾性シートの上端より低い高さに形成し、更に、支脚と平行する縦長状の棒体の熱源を配した。【選択図】図１
2007225212.tif 000002
【特許請求の範囲】
【請求項１】
天板の４隅に支脚を装備し、この支脚間の４面の空間に出し入れされる脚付き椅子とで成した洋式コタツに於いて、その４面の空間に位置し、その両側を各支脚の下方に取着された観音開き状の弾性シートであって、而も該シートは人体の足部の挿入に際し内側に開き、且つ、挿入後は元の状態に復帰して支脚間の空間を閉塞すると共に、該天板から垂れ下がって、その支脚間の４面の空間を囲繞する柔軟性の覆いカバーを設けたことを特徴とした洋式コタツ。
【請求項２】
弾性シートは、その両側を支脚にＣ型リングにて取着された請求項１記載の洋式コタツ。
【請求項３】
弾性シートは、内側に金属箔を貼り付けたことを特徴とした請求項１、２記載の洋式コタツ。
【請求項４】
支脚間の４面の空間に天板から垂れ下がる覆いカバーの垂下片を、脚付椅子の巾とほぼ同じ巾となる様に切り離したことを特徴とした請求項１、２記載の洋式コタツ。
【請求項５】
発熱源をコタツの中央に配し、支脚と平行に縦長状の棒体に形成されている請求項１、２記載の洋式コタツ。
【発明の詳細な説明】
【技術分野】
【０００１】
本発明はコタツ自体に保温装置を設けた洋式コタツに関する。
【背景技術】
【０００２】
従来、コタツは座敷用と掘りゴタツ形式のものが殆どで、どちらの形式の場合でも、足腰が弱った人には、しゃがんだり座ったりすることが苦痛になることがある。
また、最近販売されている洋式コタツは、熱を逃がさないために椅子の脚間に板状で熱を遮蔽する装置がついて、コタツとセットになっているものが多かった。(特許文献１参照)。
【０００３】
【特許文献１】特開2001-355857
【特許文献２】特開H11-351583
【発明の開示】
【発明が解決しようとする課題】
【０００４】
しかしながら、前記従来の構成では、椅子をセットで購入しなければならず、日常使用している椅子が使えなくて無駄になり、また、椅子の脚間に装着された熱遮蔽装置のついた椅子自体も重くなるなどの欠陥があった。
【課題を解決するための手段】
【０００５】
本発明は、天板の４隅に支脚を装備し、この支脚間の４面の空間に出し入れされる脚付椅子とで成した洋式コタツに於いて、各支脚の下方にその両側を取着された観音開き状の弾性シートであって、而も該弾性シートは人体の足部の挿入に際し内側に開くと共に、該足部の挿入後は元の状態に復帰して支脚間の空間を閉塞する様にした。更に、前記天板から垂れ下ると共に、その支脚間の４面の空間を囲繞する柔軟性の覆いカバーの裾が、該弾性シートの上端より低い高さに形成されることにより上記課題を解決する。
【発明の効果】
【０００６】
本発明の構成により、洋式コタツに於いて、コタツ自体に保温効果を有するので、椅子を別に購入する必要が無く、少ない熱量で暖房機能を有する従来のコタツは、現在の省エネ時代には特に有効であり、足腰の弱った人でも座ったりしゃがんだりしなくても、コタツを楽に使用することができる。また、支脚と平行する縦長状の棒体の熱源は、棒体の周囲に暖気を容易にいきわたらせるので、コタツ全体の保温効果を高める。而も、一層の保温効果を得るために、且つ、インテリアデザインを考慮してコタツ掛布を使用する場合でも、コタツ自体に保温装置を設けてあるので床迄届く長さは必要でなく、床に着いて汚れる心配がないので衛生的である。
【０００７】
該コタツの足部挿入開口部に人が足を挿入すると、常時は閉塞する方向に形成されている開閉部が開閉して、足部挿入後は足の後ろで閉塞して暖気を保つ。また、覆い部は天板から続けて四方に垂れ下がり、その垂れ下がった４面の各中央部に２ヶ所の切りこみ部を設けることにより膝を覆うひざ掛けが形成されて、膝を暖めると共にその両側の覆い部は弾性シートに添って垂れ下がり、弾性シートの上端より低い高さに形成して保温の効果を上げる。
【発明を実施するための最良の形態】
【０００８】
以下本発明の実施の形態について、図面を参照しながら説明する。
【実施例１】
【０００９】
図１に示すように、洋式コタツ1は、支脚３間の空間Ｘに位置し、その両側を取付具４ｂによって各支脚３の下方に取着された観音開き状の弾性シート４を装着し、更に、天板２から垂れ下がると共に、その支脚３間の４面の空間Ｘを柔軟性の覆いカバー５にて囲繞している。且つ、洋式コタツの中央に、支脚３と平行に縦長状の棒体に形成された発熱源６を配している。
【００１０】
図２、図３に示すように、弾性シート４は、弾性材料にて作られており、支脚３間の空間Ｘに位置して、その両側を取付具４ｂにより支脚３の下方に取着され、観音開き状に形成されている。而してその弾性材料としては、耐熱性合成樹脂板、合成ゴム、更には布とゴムとの混合材を用いる。この弾性シート４に於いて、長方形シート４ｗの短尺の一辺を椅子の座位の高さより短く、長尺は隣り合った２本の支脚の間隔より短くない長さに形成して、この弾性シートの長尺を直角に折り曲げて形成する折れ線部４ａの外側を支脚３の下方に装着する。
【００１１】
具体的には、図４に示すように取付具４ｂをＣ型リングとし、弾性シート４の折れ線部４ａの両側に小孔４ｄを設けて、Ｃ型リングである取付具４ｂを挿入して支脚３の横溝３ａに嵌合している。また図５に示すように上下爪４ｅとその軸線４ｆとを一本の金属線にて形成してコ字形とし、この軸線４ｆを弾性シート４の折れ線部４ａの外側にて押え且つ上下爪４ｅを支脚３の上下小孔３ｂに圧入している。更に、その弾性シート４の内側には耐熱性を考慮し金属箔４ｃを貼りつけても良い。この金属箔４ｃは、熱源６からの輻射熱を有効に活用するための反射作用を行う。
【００１２】
弾性シート４の装着の方法としては、蝶番を用いるか、或いは、洗濯バサミ状又はその他のバネ状の取付具によって着脱自在にすることも可能である。弾性シート４は折り曲げて形成しなくても、８枚のシート状或いは板状の素材を２枚づつ各支脚それぞれに固着してもよい。
【００１３】
図１に示すように、洋式コタツ１の中央に配した熱源６は、支脚３と平行する縦長状の棒体に形成することにより、棒体の周囲から暖気がコタツ全体にいきわたる。熱源６は、図示のような棒体でなくても、コタツ内の上部に固着したり、また、堀ゴタツのように床に置く形式を用いても良い。
【００１４】
図６に示すように、洋式コタツ１の覆いカバー５は、保温シート素材を用いて天板２から垂れ下がると共に、その支脚間の４面の空間Ｘを囲繞する柔軟性の覆いカバーであり、その垂下片の中央部に脚付椅子Ｃの幅とほぼ同じ巾となるように切り離して、人体Ｈの足部Ｈａの挿入時に人体Ｈの膝上を覆うひざ掛け５ａを形成するが、覆いカバー５に於いて、ひざ掛け部５ａ以外の部位は、弾性シート４の上端より低い高さに垂れ下るように形成したものである。
【００１５】
保温効果をより高めると共に、インテリアデザインとして楽しむために、コタツ全体を覆う掛布を使用する場合にも、コタツ自体に保温装置がなされているので、床に着く長さは必要ないので汚れ難く衛生的である。
【実施例２】
【００１６】
当該コタツを、日常使用しているテーブルの下に入るサイズの縮尺洋式コタツに形成することにより、日常の椅子用テーブルの下に置いて、簡単に洋式コタツとして使用することも出来る。
【図面の簡単な説明】
【００１７】
【図１】本発明の洋式コタツの斜視図。
【図２】同上の弾性シートの分解斜視図。
【図３】同上の洋式コタツの脚部に弾性シートを装着した状態を示す斜視図。
【図４】同上の弾性シートの分解斜視図。
【図５】同上の弾性シートの分解斜視図。
【図６】洋式コタツの使用状態を示す側面図。
【符号の説明】
【００１８】
１  コタツ本体
２  天板
３  支脚
４  弾性シート
５  覆いカバー
６  熱源
Ｃ  脚付椅子
Ｘ  支脚間の空間
【図１】
2007225212.tif 000003
【図２】
2007225212.tif 000004
【図３】
2007225212.tif 000005
【図４】
2007225212.tif 000006
【図５】
2007225212.tif 000007
【図６】
2007225212.tif 000008